(57)【要約】【課題】  打球方向にばらつきがなく、しかも打球の正転性が高められるゴルフパターを提供する。【解決手段】  ゴルフパター１０において、そのシャフト２０が、そのパターヘッド１８のフェイス１６の長手方向における中心位置Ｃからトウ１８ｔ側へ所定距離Ａだけずれた位置に取付けられていることから、フェイス１６の長手方向における中心位置Ｃでゴルフボール１４を打つに際して、プレーヤーＰの体が従来に比較して所定距離Ｗだけゴルフボール１４側へ移動し、プレーヤーＰの眼Ｅがゴルフボールの真上位置に接近することから打球方向にばらつきがなくなるとともに、打球の正転性が高められるので、打球が正確にカップに向って転がるようになる。【選択図】      図２
0003116945.tif 000002
【実用新案登録請求の範囲】
【請求項１】
ゴルフボールを当てるための長手状のフェイスを有するパターヘッドと、該パターヘッドから立設されたシャフトとを備えたゴルフパターであって、
前記シャフトが、前記パターヘッドの前記フェイスの長手方向における中心位置からトウ側へ所定値だけ離隔した位置に取り着けられていることを特徴とするゴルフパター。
【請求項２】
前記シャフトは、前記パターヘッド側から垂直に所定距離だけ立ち上がる垂直軸部と、該垂直軸部に続いてグリップまで直線状の伸び且つライ角が１０°乃至１７．５°の角度となるように該垂直軸部から曲げられている斜軸部とを含むものである請求項１のゴルフパター。
【請求項３】
前記シャフトは、前記パターヘッドの上面に取り着けられていることを特徴とする請求項１または２のゴルフパター。
【請求項４】
前記シャフトは、前記パターヘッドの前記フェイスの裏面に取り着けられていることを特徴とする請求項１または２のゴルフパター。
【請求項５】
前記シャフトは、前記パターヘッドの前記トウ側の端面に取り着けられていることを特徴とする請求項１または２のゴルフパター。
【請求項６】
前記シャフトは、４０インチ以上の最長寸法を備えたものである請求項１乃至５のいずれかのゴルフパター。
【考案の詳細な説明】
【技術分野】
【０００１】
本考案は、グリーン上においてゴルフボールを打つためのゴルフパターに関するものである。
【背景技術】
【０００２】
グリーン上においてゴルフボールを打つためのゴルフパターは、ゴルフボールを当てるためのフェイスを有する長手状のパターヘッドと、そのパターヘッドから立設されたシャフトとを備え、シャフトの先端部に設けられたグリップを把持することによりスイングが行われる。たとえば、特許文献１、特許文献２、特許文献３、特許文献４に記載されたものがそれである。
【特許文献１】特開平１０−１９２４６１号公報
【特許文献２】特開平１１−２６２５４７号公報
【特許文献３】特開２００１−７０４８３号公報
【特許文献４】特開２００５−１４３５５７号公報
【０００３】
上記のような従来のゴルフパターにおいては、通常、シャフトは１０°以上のライ角を設けてパターヘッドに取り付けられるとともに、そのシャフトのパターヘッドに対する取り付け位置は、パターヘッドの長手方向における中心位置からヒール側へ所定距離ずれた位置に設定されている。
【考案の開示】
【考案が解決しようとする課題】
【０００４】
ところで、上記のようなゴルフパターを用いてゴルフボールをカップに向かって打つ場合、打球方向にばらつきがなく、打球が正確にカップに向って転がることが望まれるが、比較的高度な技術或いは熟練を必要とするため、一般のプレーヤーにとっては、ハンディを上げる（少なく）するためのひとつのネックとなっていた。
【０００５】
本考案は、以上の事情を背景として為されたものであり、その目的とするところは、打球方向にばらつきがなく、しかも打球の正転性が高められるゴルフパターを提供することにある。
【課題を解決するための手段】
【０００６】
本考案者は、以上の事情を背景として、種々研究を重ねるうち、上記従来の構造のゴルフパターにおいて、シャフトのパターヘッドに対する取り付け位置をトウ側へ変更すると、意外なことに、打球方向のばらつきが少なく、打球が正確にカップに向って転り易くなるという事実を見出した。本考案はこのような知見に基づいて為されたものである。
【０００７】
すなわち、請求項１に係る考案は、ゴルフボールを当てるための長手状のフェイスを有するパターヘッドと、そのパターヘッドから立設されたシャフトとを備えたゴルフパターであって、前記シャフトが、そのパターヘッドのフェイスの長手方向における中心位置からトウ側へ所定値だけずれた位置に取り着けられていることを特徴とする。
【０００８】
また、請求項２に係る考案は、前記シャフトは、前記パターヘッド側から垂直に所定距離だけ立ち上がる垂直軸部と、その垂直軸部に続いてグリップまで直線状の伸び且つライ角が１０°乃至１７．５の角度となるようにその垂直軸部から曲げられている斜軸部とを含むことを特徴とする。
【０００９】
また、請求項３に係る考案は、前記シャフトは、前記パターヘッドの上面に取り着けられていることを特徴とする。
【００１０】
また、請求項４に係る考案は、前記シャフトは、前記パターヘッドのフェイスの裏面に取り着けられていることを特徴とする。
【００１１】
また、請求項５に係る考案は、前記シャフトは、前記パターヘッドのトウ側の端面に取り着けられていることを特徴とする。
【００１２】
また、請求項６に係る考案は、前記シャフトは、４０インチ以上の最長寸法を備えたものであることを特徴とする。
【考案の効果】
【００１３】
請求項１に係る考案のゴルフパターによれば、前記シャフトが、そのパターヘッドのフェイスの長手方向における中心位置からトウ側へ所定値だけずれた位置に取り着けられていることから、フェイスの長手方向における中心位置でゴルフボールを打つに際して、プレーヤーの体が従来に比較してゴルフボール側へ移動し、プレーヤーの目がゴルフボールの真上位置に接近することから打球方向にばらつきがなくなるとともに、打球の正転性が高められるので、打球が正確にカップに向って転がるようになる。
【００１４】
また、請求項２に係る考案のゴルフパターによれば、前記シャフトは、前記パターヘッドから垂直に所定距離だけ立ち上がる垂直軸部と、その垂直軸部に続いてグリップまで直線状の伸び且つライ角が１０°乃至１７．５の角度となるようにその垂直軸部から曲げられている斜軸部とを含むことから、シャフトが単純な形状となるので、製造が容易となるとともに、パッティング時においてプレーヤがゴルフボールに一層近づくことができる。
【００１５】
また、請求項３に係る考案のゴルフパターによれば、前記シャフトは、前記パターヘッドの上面に取り着けられていることから、構造が簡単となり、製造が容易となる。
【００１６】
また、請求項４に係る考案のゴルフパターによれば、前記シャフトは、前記パターヘッドのフェイスの裏面に取り着けられて、ゴルフボールから離れるので、ゴルフボールとプレーヤーの目との間の目線の邪魔とならない利点がある。
【００１７】
また、請求項５に係る考案のゴルフパターによれば、前記シャフトは、前記パターヘッドのフェイスのトウ側端面に取着けられていることから、フェイスの長手方向における中心位置でゴルフボールを打つに際して、プレーヤーの体が従来に比較してゴルフボール側へ一層移動し、プレーヤーの目がゴルフボールの真上位置に接近するので、打球方向にばらつきがなく、打球が正確にカップに向って転がるようになる。
【００１８】
また、請求項６に係る考案のゴルフパターによれば、前記シャフトは、４０インチ以上の最長寸法を備えたものであることから、打球時のパターヘッドの軌跡の曲率半径が大きくなり、一層正確に打球がカップに向って転がるようになる。
【考案を実施するための最良の形態】
【００１９】
以下、本考案の一実施例を図面に基づいて詳細に説明する。
【００２０】
図１は、本考案の一実施例のゴルフパター１０を用いて、グリーン１２上のプレーヤーＰがゴルフボール１４を図示しないカップに向かって打つときの姿勢を示す正面図である。図１の１点鎖線は、打球面であるフェイス１６の長手方向における中心位置Ｃでゴルフボール１４を打つに際して、従来のゴルフパター５０を用いたときのプレーヤーＰの姿勢を示している。そのフェイス１６の長手方向における中心位置Ｃは、通常は、パターヘッド１８の長手方向の中心位置でもある。
【００２１】
上記ゴルフパター１０は、図２に詳しく示すように、ゴルフボール１４を当てるための長手状のフェイス１６を有するパターヘッド１８と、そのパターヘッド１８から立設されたシャフト２０とを備えている。このパターヘッド１８は、たとえば工具鋼等の鉄系合金、ブロンズ等の銅系合金などの比較的比重の高い金属から構成されている。
【００２２】
上記シャフト２０は、そのパターヘッド１８側から垂直に所定距離だけ立ち上がる垂直軸部２２と、その垂直軸部２２に続いてグリップ２４まで直線状に伸び且つ垂直軸部２２との成す曲げ角θｂが１７０°以下の角度たとえば１６５°或いは１６２．５°となるようにその垂直軸部２２から曲げられている斜軸部２６とを備え、たとえば鋼管、ガラス繊維或いはカーボン繊維が結合されて管状に成形されたカーボン管などから構成されている。すなわち、パターヘッド１８のヒール１８ｈとトウ１８ｔとを通る垂直面に対する上記シャフト２０のまっすぐな部分である斜軸部２６の投影線と垂直線との成す角であるいわゆるライ角θｒが１０°以上たとえば１５°或いは１７．５°の範囲内となるように、上記曲げ角θｂが設定されている。従来のゴルフパターのライ角θｒは１８乃至２２°の範囲に設定されており、本実施例のゴルフパター１０のライ角θｒはそれよりも小さく、アップライトとなるので、プレーヤーＰの位置が一層ゴルフボール１４に近づくことができるようになる。
【００２３】
また、本実施例のゴルフパター１０は、所謂中尺、或いは長尺と称される長さ寸法を備えたものであり、シャフト２０の最長寸法が４０インチ以上、たとえば４０乃至４２インチ（中尺）や、４２乃至６０インチ（長尺）に設定されている。
【００２４】
上記シャフト２０は、パターヘッド１８のフェイス１６の長手方向における中心位置Ｃからトウ１８ｔ側へ所定距離Ａだけ離隔した位置において、パターヘッド１８の上面２８に立設されている。すなわち、フェイス１６の長手方向の中心位置Ｃが、パターヘッド１８に対するシャフト２０の取付位置Ｓよりもヒール１８ｈ側に所定距離Ａだけ位置させられている。このフェイス１６の長手方向の中心位置Ｃは、通常、パターヘッド１８の重心点、スイートスポットの中心すなわち打撃中心点と一致させられている。
【００２５】
以上のように構成されたゴルフパター１０は、図３に示すように、プレーヤーＰによりグリップされ、フェイス１６の長手方向における中心位置Ｃでゴルフボール１４を当て、図示しないカップに向かって転動させるようにパッティング操作される。このとき、パターヘッド１８は矢印に示すようにプレーヤーＰの体芯を回動中心点ＣＲ１を中心とする円弧に沿って運動させられる。図３の一対の楕円はプレーヤーＰの足の位置を示している。図４は、このパッティング操作におけるパターヘッド１８の平面視での円弧運動を、従来のゴルフパター５０のパターヘッド５２の平面視での円弧運動と対比して説明する図である。
【００２６】
上記従来のゴルフパター５０では、図５に詳しく示すように、パターヘッド５２の長手方向の中心線Ｃよりもヒール５２ｈ側に所定距離Ｂだけずれた位置Ｔにシャフト５４が立設されている。
【００２７】
図４に示すように、フェイス１６の長手方向における中心位置Ｃでゴルフボールを打つ場合、本実施例のゴルフパター１０のパターヘッド１８の運動と従来のゴルフパター５０のパターヘッド５２の運動とを比較すると、ゴルフパター１０のシャフト２０のライ角θｒが小さく設定されていて回動中心ＣＲ１が高くなるとともに、シャフト２０がパターヘッド１８のフェイス１６の長手方向における中心位置Ｃからトウ１８ｔ側へ所定距離Ａだけ離隔した位置に立設されていて、パターヘッド１８の回動中心ＣＲ１はパターヘッド５２の回動中心ＣＲ２に対してゴルフボール１４側に所定寸法Ｗだけ移動し、図１に示すように、プレーヤーＰの足先および頭の位置も所定寸法Ｗだけゴルフボール１４側に移動する。このため、パターヘッド１８の回動半径Ｒ１はパターヘッド５２の回動半径Ｒ２よりも大きくなるため、また、打球後のフォロースイングにおけるパターヘッド１８の回動角θ１はパターヘッド５２の回動角θ２よりも小さくなる。このようにパターヘッド１８の回動運動の軌跡の曲率半径が大きくなって直線に近づく結果、打球方向のバラツキが小さくなる傾向となる。
【００２８】
上記のように、平面視におけるパターヘッド１８の回動半径Ｒ１は従来のパターヘッド５２の回動半径Ｒ２よりも大きくなり、プレーヤーＰの足先および頭の位置も所定寸法Ｗだけゴルフボール１４側に移動する結果、パッティング姿勢時におけるプレーヤーＰの眼Ｅも所定寸法Ｗだけゴルフボール１４側に移動することになり、図１に示すように、プレーヤーＰの眼Ｅとゴルフボール１４との間を結ぶ目線Ｌ１は、従来のパターヘッド５２を用いたパッティング姿勢時のプレーヤーＰの眼Ｅとゴルフボール１４との間を結ぶ目線Ｌ２に比較して、よりアップライト（垂直側）となる。すなわち、本実施例のゴルフパター１０を用いたパッティング姿勢時のプレーヤーＰの眼Ｅは、一層、ゴルフボール１４の真上近傍に位置することになる。パターヘッド１８の回動中心ＣＲ１を高くするパッティング姿勢が容易となる。図６には、本実施例のゴルフパター１０を用いたパッティング姿勢時のパターヘッド１８の回動中心ＣＲ１を示している。このときのパターヘッド１８の回動中心ＣＲ１はプレーヤーＰの頭部付近に位置している。
【００２９】
また、図６に示すように、パッティング操作時には、プレーヤーＰによりグリップされたゴルフパター１０のパターヘッド１８は垂直面内においても円弧運動を行う。この円弧運動を図６の右側すなわちゴルフボール１４側から見ると、図７に示すように、フェイス１６の長手方向の中心線Ｃ上の打点の上下運動で示される。この図７から明らかなように、たとえば打球後のフォロースイングにおけるゴルフパター１０のパターヘッド１８の上下運動ストロークＨ１は、従来のゴルフパター５０のパターヘッド５２の上下運動ストロークＨ２よりも小さい。このことからも、パターヘッド１８の回動運動の軌跡の曲率半径が大きくなって直線に近づくことが説明できる。
【００３０】
図８は、本実施例のゴルフパター１０でパッティングされるとき、フェイス１６の長手方向における中心位置Ｃにゴルフボール１４が当てられるときの、パターヘッド１８にそのシャフト２０の取付位置Ｓを中心として発生する回転モーメントＭ１を説明している。パターヘッド１８の長手方向の中心位置Ｃにゴルフボール１４から作用する衝撃力をＧとすると、その回転モーメントＭ１（＝Ｇ×Ａ）は上記取付位置Ｓを中心とする左まわりの方向に発生する。図９は、従来のゴルフパター５０でパッティングされるとき、そのフェイスの長手方向における中心位置Ｃにゴルフボール１４が当てられるときの、パターヘッド５２にそのシャフト５４の取付位置Ｔを中心として発生する回転モーメントＭ２を説明している。パターヘッド５２の長手方向の中心位置Ｃにゴルフボール１４から作用する衝撃力をＧとすると、その回転モーメントＭ２（＝Ｇ×Ｂ）は上記取付位置Ｔを中心とする右まわりの方向に発生する。
【００３１】
上述のゴルフパター１０における打球後のフォロースイングにおける上下運動ストロークＨ１の減少、前記パターヘッド１８の回動角θ１の減少、シャフト２０の取付位置Ｓを中心として発生する左回りの回転モーメントＭ１の発生は、打球後のゴルフボール１４の正転性或いは順回転度を高めることに寄与している。ゴルフボール１４の正転性或いは順回転度が高いとは、打球後の回転軸心が地面に平行な水平軸に近接している度合いを意味している。
【００３２】
ゴルフボール１４の正転性が高められる第１の理由として、ゴルフパター１０のパッティング操作時に、パターヘッド１８の長手方向の中心位置Ｃがゴルフボール１４に当てられるとき、そのインパクト期間中におけるパターヘッド１８の図７の上下運動の移動方向に含まれる回動中心側への水平方向成分、図４の水平方向の回動運動に含まれる回動中心側への水平方向成分が抑制されることが原因として考えられる。これらの水平方向成分の抑制は、図７の打球後のフォロースイングにおける上下運動ストロークＨ１の減少に伴う、その上下運動ストロークＨ１に含まれる回動中心側への水平方向成分の減少があること、図４の打球後のフォロースイングにおけるパターヘッド１８の回動角θ１の減少に伴う、上記フォロースイングの運動に含まれる回動中心側への水平方向成分の減少があることから明らかである。上記インパクト期間は、そのフォロースイング期間の一部であるからである。このインパクト期間内における上記回動中心側への水平方向成分は、平面視において右まわりのスピンをゴルフボール１４に発生させることから、ゴルフボール１４の正転性を低くすることに寄与するが、上記インパクト期間内における上記回動中心側への水平方向成分が減少することによって、その正転性が高められるのである。
【００３３】
ゴルフボール１４の正転性が高められる第２の理由として、ゴルフパター１０のパッティング操作時に、パターヘッド１８の長手方向の中心位置Ｃがゴルフボール１４に当てられるとき、図８に示すように、パターヘッド１８がシャフト２０の取付位置Ｓを中心とする平面視で左まわりの回転モーメントＭ１を受けて、ゴルフボール１４には左まわりのスピンが発生させられようとするが、これによって前記インパクト期間内における上記回動中心側への水平方向成分に起因する右回りのスピンが相殺されることが原因として考えられる。このようにしてスピンが相殺されることによりゴルフボール１４全体としてのスピンが抑制されるので、そのスピンに起因する正転性の低下が好適に防止されて正転性が高められる。従来のパターヘッド５０では、図９に示すように、パターヘッド１８がシャフト２０の取付位置Ｔを中心とする平面視で右まわりの回転モーメントＭ２を受けて、ゴルフボール１４には右まわりのスピンが発生させられようとするが、前記インパクト期間内における上記回動中心側への水平方向成分に起因する右回りのスピンと重畳してゴルフボール１４には右まわりのスピンが一層強く発生させられるので、十分な正転性が得られていなかったと考えられる。
【００３４】
特に、近距離或いは短距離のパッティングであるときは、ゴルフボール１４の転動距離を短くするためにプレーヤーＰはゴルフパター１０を緩く把持しグリップ力が緩くされることから、従来では図９に示すように右まわりの回転モーメントＭ２が発生し易く正転性が損なわれる傾向にあったが、本実施例のゴルフパター１０によれば、そのようなことが好適に解消され、上記の効果が顕著に得られる。
【００３５】
上述のように、本実施例のゴルフパター１０によれば、そのシャフト２０が、そのパターヘッド１８のフェイス１６の長手方向における中心位置Ｃからトウ１８ｔ側へ所定距離Ａだけずれた位置に取り着けられていることから、フェイス１６の長手方向における中心位置Ｃでゴルフボール１４を打つに際して、プレーヤーＰの体が従来に比較して所定距離Ｗだけゴルフボール１４側へ移動し、プレーヤーＰの眼Ｅがゴルフボールの真上位置に接近することから打球方向にばらつきがなくなるとともに、打球の正転性が高められるので、打球が正確にカップに向って転がるようになる。
【００３６】
また、本実施例のゴルフパター１０によれば、シャフト２０は、パターヘッド１８から垂直に所定距離だけ立ち上がる垂直軸部２２と、その垂直軸部２２に続いてグリップ２４まで直線状の伸び且つその垂直軸部２２との成す曲げ角θｂが１７０°以下の角度となるようにその垂直軸部２２から曲げられている斜軸部２６とを含むことから、シャフト２０が単純な形状となるので、製造が容易となる。
【００３７】
また、本実施例のゴルフパター１０によれば、シャフト２０は、パターヘッド１８の上面２８に取り着けられていることから、構造が簡単となり、製造が容易となる。
【００３８】
次に、本考案の他の実施例を説明する。なお、以下の説明において実施例相互に共通する部分には同一の符号を付して説明を省略する。
【００３９】
図１０に示すゴルフパター３０では、シャフト２０が、パターヘッド１８のフェイス１６の長手方向における中心位置Ｃからトウ１８ｔ側へ所定距離Ａだけ離隔した位置であって、パターヘッド１８のフェイス１６の裏面３２に取り着けられている。本実施例のシャフト２０は、垂直軸部２２とそれに続いてグリップ２４まで直線状の伸び且つその垂直軸部２２との間に所定の曲げ角θｂが形成された斜軸部２６とを備えるとともに、垂直軸部２２とパターヘッド１８の裏面３２との間に設けられた水平軸部３４を備えている。本実施例によれば、前述の実施例のゴルフパター１０と同様の効果が得られるのに加えて、パッティング時においてシャフト２０がゴルフボール１４から離れて位置するので、ゴルフボール１４が見易くなる利点がある。
【００４０】
図１１に示すゴルフパター４０では、シャフト２０が、パターヘッド１８のフェイス１６の長手方向における中心位置Ｃからトウ１８ｔ側へ所定距離Ａだけ離隔した位置であって、パターヘッド１８のトウ１８ｔ側の端面４２に取り着けられている。本実施例のシャフト２０は、垂直軸部２２とそれに続いてグリップ２４まで直線状の伸び且つその垂直軸部２２との間に所定の曲げ角θｂが形成された斜軸部２６とを備えるとともに、垂直軸部２２とパターヘッド１８のトウ１８t 側の端面４２との間に設けられた水平軸部４４を備えている。本実施例によれば、前述の実施例のゴルフパター１０と同様の効果が得られるのに加えて、シャフト２０全体がパターヘッド１８のトウ１８ｔ側へ一層移動させられるので、その効果が一層高められる利点がある。
【００４１】
以上、本考案の一実施例を図面を用いて説明したが、本考案はその他の態様においても適用される。
【００４２】
たとえば、前述のゴルフパター１０、３０、４０において、長方形状のパターヘッド１８が用いられていたが、トウ１８ｔ側程高さ寸法が大きくなる楔型形状、一部を直線的に切り欠いた円盤形状などであってもよい。
【００４３】
また、前述のゴルフパター１０、３０、４０において、シャフト２０は垂直軸部２２とそれに続いてグリップ２４まで直線状の伸び且つその垂直軸部２２との間に所定の曲げ角θｂが形成された斜軸部２６とを備えたものであったが、垂直軸部２２を備えないで、斜軸部２６のみで１本の棒状に構成されたものなど、種々の形状から構成され得る。
【００４４】
なお、上述したのはあくまでも本考案の一実施例であり、本考案はその主旨を逸脱しない範囲において種々の変更が加えられ得るものである。
【図面の簡単な説明】
【００４５】
【図１】本考案の一実施例のゴルフパターを用いてプレーヤーがゴルフボールをカップに向かって打つときの姿勢を示す図である。
【図２】図１のゴルフパターの要部を拡大して説明する正面図である。
【図３】図１のゴルフパターを用いたパッティング操作を説明する平面図であって、図１のIII-III 視図である。
【図４】図１のゴルフパターを用いたパッティング操作におけるパターヘッドの平面視での円弧運動を、従来のゴルフパターのパターヘッドの平面視での円弧運動と対比して説明する図である。
【図５】従来のゴルフパターの要部を拡大して説明する正面図である。
【図６】図１のゴルフパターを用いてプレーヤーがゴルフボールをカップに向かって打つときのパッティング操作を示す図である。
【図７】図６のパッティング操作時において、図１のゴルフパターのパターヘッドの上下方向の運動を、従来のゴルフパターのパターヘッドと対比して説明する図である。
【図８】パッティング操作時において、図１のゴルフパターのパターヘッドに作用する回転モーメントＭ１を説明する図である。
【図９】パッティング操作時において、従来のゴルフパターのパターヘッドに作用する回転モーメントＭ２を説明する図である。
【図１０】本考案の他の実施例のゴルフパターの要部を説明する図である。
【図１１】本考案の他の実施例のゴルフパターの要部を説明する図である。
【符号の説明】
【００４６】
１０、３０、４０：ゴルフパター
１４：ゴルフボール
１６：フェイス
１８：パターヘッド
１８ｔ：トウ
２０：シャフト
２２：垂直軸部
２４：グリップ
２６：斜軸部
３２：裏面
４４：端面
Ｃ：フェイスの長手方向の中心位置
【図１】
0003116945.tif 000003
【図２】
0003116945.tif 000004
【図３】
0003116945.tif 000005
【図４】
0003116945.tif 000006
【図５】
0003116945.tif 000007
【図６】
0003116945.tif 000008
【図７】
0003116945.tif 000009
【図８】
0003116945.tif 000010
【図９】
0003116945.tif 000011
【図１０】
0003116945.tif 000012
【図１１】
0003116945.tif 000013